(57)【要約】【課題】発生したトーンジャンプを補正する際に、画像内のトーンジャンプ発生部以外の色味が変化するのを防止する。【解決手段】画像処理装置は、印刷物のトーンジャンプ発生部を選択する選択部と、画像の処理を行う制御部と、を備え、制御部は、トーンジャンプ発生部における画像の色値を取得して、取得した色値と同等の部分を印刷物の画像内から検索し、画像全体に効果のある補正テーブルよって、取得した色値を補正してトーンジャンプを減ずる補正処理が可能であり、  補正処理に際し、印刷物の画像内に色値と同等の部分がある場合、補正処理の方法を変更する変更処理の制御を行う。【選択図】図２
2020068409.tif 000002
【特許請求の範囲】
【請求項１】
印刷物のトーンジャンプ発生部を選択する選択部と、
画像の処理を行う制御部と、を備え、
前記制御部は、前記トーンジャンプ発生部における画像の色値を取得して、取得した前記色値と同等の部分を前記印刷物の画像内から検索し、
画像全体に効果のある補正テーブルよって、取得した色値を補正してトーンジャンプを減ずる補正処理が可能であり、
前記補正処理に際し、前記印刷物の画像内に前記色値と同等の部分がある場合、前記補正処理の方法を変更する変更処理の制御を行うことを特徴とする画像処理装置。
【請求項２】
前記制御部は、前記トーンジャンプ発生部の画像を補正した結果を計算する第１の計算工程と、さらに、
前記トーンジャンプ発生部の画像と同値として、検索された部分について色味の変化量を計算する第２の計算工程の実施制御を行うことを特徴とする請求項１記載の画像処理装置。
【請求項３】
前記制御部は、前記第１の計算工程の計算結果と、前記第２の計算工程の計算結果に基づいて、前記変更処理を行うことを特徴とする請求項２記載の画像処理装置。
【請求項４】
前記制御部は、前記変更処理を、補正の種類および／または補正強度の変更により行うことを特徴とする請求項２または３に記載の画像処理装置。
【請求項５】
前記制御部は、前記第２の計算工程で色味の変化量を計算する際に、補正前後のΔＥ、ΔＥ９４、ΔＥ００、ΔＬ＊、Δａ＊、Δｂ＊、ΔＣｈ、ΔＨのいずれかにより計算することを特徴とする請求項２〜４のいずれか１項に記載の画像処理装置。
【請求項６】
前記制御部は、前記変更処理の変更候補を複数抽出し、前記変更候補に基づくサンプルをそれぞれ印刷することを特徴とする請求項１〜５のいずれか１項に記載の画像処理装置。
【請求項７】
前記制御部は、前記変更処理の変更候補を複数抽出し、前記変更候補に基づいて前記第１の計算工程の計算結果と、前記第２の計算工程の計算結果による画像の表示を可能にすることを特徴とする請求項１〜６のいずれか１項に記載の画像処理装置。
【請求項８】
操作入力を受け付ける操作表示部を有し、
前記制御部は、操作表示部によって変更処理の変更候補を入力可能に制御することを特徴とする請求項６または７に記載の画像処理装置。
【請求項９】
前記制御部は、前記変更処理において、１次色だけでなく、複数の色を刷り重ねて作られた２次色以上を考慮して変更することを特徴とする請求項１〜８のいずれか１項に記載の画像処理装置。
【請求項１０】
前記選択部は、スキャナーを用いて画像解析することで印刷物の中のトーンジャンプ発生部を選択することを特徴とする請求項１〜９のいずれか１項に記載の画像処理装置。
【請求項１１】
前記選択部は、ユーザーが指定した部分をトーンジャンプ発生部として選択することを特徴とする請求項１〜１０のいずれか１項に記載の画像処理装置。
【請求項１２】
前記制御部は、前記トーンジャンプ発生部における画像の色値と同等の部分が見つからなかった場合は、補正処理に際し、最も強い補正方法を選択することを特徴とする請求項１〜１１のいずれか１項に記載の画像処理装置。
【請求項１３】
画像の処理を行う制御部で実行されるプログラムであって、
前記プログラムは、前記制御部に対し、
トーンジャンプ発生部を選択するステップと、
印刷物のトーンジャンプ発生部における画像の色値を取得して、取得した前記色値と同等の部分を前記印刷物の画像内から検索するステップと、
画像全体に効果のある補正テーブルよって、取得した色値を補正してトーンジャンプを減ずる補正処理を行うステップを有し、
前記補正処理では、前記印刷物の画像内に前記色値と同等の部分がある場合、前記補正処理の補正を変更するステップを実行させることを特徴とする画像処理プログラム。
【発明の詳細な説明】
【技術分野】
【０００１】
この発明は、画像におけるトーンジャンプを減ずる補正処理が可能な画像処理装置および画像処理プログラムに関する。
【背景技術】
【０００２】
画像データに基づいて画像形成を行う画像形成装置では、階調補正によるガンマ補正などが行われる。この際に、階調表現がなめらかでなく階調が飛んでしまう、いわゆるトーンジャンプが生じてしまうことがある。
例えば、特許文献１では、入力画像内の所定のグラデーション画像領域を検出する検出部と、前記検出部が検出したグラデーション画像領域に対して選択的に階調ジャンプ補正を行う補正部とを有する画像形成装置が提案されている。
すなわち、特許文献１では、印刷した結果トーンジャンプが発見された場合、入力画像を補正することで、トーンジャンプの解消を図っている。
【先行技術文献】
【特許文献】
【０００３】
【特許文献１】特開２００５−１１９２４９号公報
【発明の概要】
【発明が解決しようとする課題】
【０００４】
しかし、近年トーンジャンプ補正の要求レベルが高くなり過ぎたために、従来の補正方法では通用しなくなってきている。例えば、移動平均を使ったスムージングのような補正を闇雲に使用した場合、トーンジャンプ部分以外の色味が変化するなどして、ユーザーが望む色再現を崩してしまう可能性がある。特に再ＲＩＰ出来ない状況では、プロファイル修正が出来ず、キャリブレーションＬＵＴを補正することでトーンジャンプを解消しなければならい。
特許文献１では、入力画像を補正するのみで、他の色味を考慮した補正はなされていない。
【０００５】
本願発明は、上記事情を背景としてなされたものであり、発生したトーンジャンプを補正する際に、画像内のトーンジャンプ発生部以外の色味の変化を考慮して、補正をおこなうことができる画像処理装置および画像処理プログラムを提供することを目的とする。
【課題を解決するための手段】
【０００６】
本発明の画像処理装置のうち、第１の形態は、
印刷物のトーンジャンプ発生部を選択する選択部と、
画像の処理を行う制御部と、を備え、
前記制御部は、前記トーンジャンプ発生部における画像の色値を取得して、取得した前記色値と同等の部分を前記印刷物の画像内から検索し、
画像全体に効果のある補正テーブルよって、取得した色値を補正してトーンジャンプを減ずる補正処理が可能であり、
前記補正処理に際し、前記印刷物の画像内に前記色値と同等の部分がある場合、前記補正処理の方法を変更する変更処理の制御を行うことを特徴とする。
【０００７】
他の形態の画像処理装置の発明は、前記形態の発明において、
前記制御部は、前記トーンジャンプ発生部の画像を補正した結果を計算する第１の計算工程と、さらに、
前記トーンジャンプ発生部の画像と同値として、検索された部分について色味の変化量を計算する第２の計算工程の実施制御を行うことを特徴とする。
【０００８】
他の形態の画像処理装置の発明は、前記形態の発明において、
前記制御部は、前記第１の計算工程の計算結果と、前記第２の計算工程の計算結果に基づいて、前記変更処理を行うことを特徴とする。
【０００９】
他の形態の画像処理装置の発明は、前記形態の発明において、前記制御部は、前記変更処理を、補正の種類および／または補正強度の変更により行うことを特徴とする。
【００１０】
他の形態の画像処理装置の発明は、前記形態の発明において、前記制御部は、前記第２の計算工程で色味の変化量を計算する際に、補正前後のΔＥ、ΔＥ９４、ΔＥ００、ΔＬ＊、Δａ＊、Δｂ＊、ΔＣｈ、ΔＨのいずれかにより計算することを特徴とする。
【００１１】
他の形態の画像処理装置の発明は、前記形態の発明において、前記制御部は、前記変更処理の変更候補を複数抽出し、前記変更候補に基づくサンプルをそれぞれ印刷することを特徴とする。
【００１２】
他の形態の画像処理装置の発明は、前記形態の発明において、前記制御部は、前記変更処理の変更候補を複数抽出し、前記変更候補に基づいて前記第１の計算工程の計算結果と、前記第２の計算工程の計算結果による画像の表示を可能にすることを特徴とする。
【００１３】
他の形態の画像処理装置の発明は、前記形態の発明において、
操作入力を受け付ける操作表示部を有し、
前記制御部は、操作表示部によって変更処理の変更候補を入力可能に制御することを特徴とする。
【００１４】
他の形態の画像処理装置の発明は、前記形態の発明において、
前記制御部は、前記変更処理において、１次色だけでなく、複数の色を刷り重ねて作られた２次色以上を考慮して変更することを特徴とする。
【００１５】
他の形態の画像処理装置の発明は、前記形態の発明において、
前記選択部は、スキャナーを用いて画像解析することで印刷物の中のトーンジャンプ発生部を選択することを特徴とする。
【００１６】
他の形態の画像処理装置の発明は、前記形態の発明において、前記選択部は、ユーザーが指定した部分をトーンジャンプ発生部として選択することを特徴とする。
【００１７】
他の形態の画像処理装置の発明は、前記形態の発明において、
前記制御部は、前記トーンジャンプ発生部における画像の色値と同等の部分が見つからなかった場合は、補正処理に際し、最も強い補正方法を選択することを特徴とする。
【００１８】
本発明の画像処理プログラムは、画像の処理を行う制御部で実行されるプログラムであって、
前記プログラムは、前記制御部に対し、
トーンジャンプ発生部を選択するステップと、
印刷物のトーンジャンプ発生部における画像の色値を取得して、取得した前記色値と同等の部分を前記印刷物の画像内から検索するステップと、
画像全体に効果のある補正テーブルよって、取得した色値を補正してトーンジャンプを減ずる補正処理を行うステップを有し、
前記補正処理では、前記印刷物の画像内に前記色値と同等の部分がある場合、前記補正処理の補正を変更するステップを実行させることを特徴とする。
【発明の効果】
【００１９】
すなわち、本発明によれば、ユーザーが望む色再現を確保しつつ、トーンジャンプを解消または減じることを可能にする効果がある。
【図面の簡単な説明】
【００２０】
【図１】本発明の一実施形態の画像処理装置の制御ブロックを示す図である。
【図２】同じく、トーンジャンプの補正を行う手順を示すフローチャートである。
【図３】同じく、スムージングレベルを用いたトーンジャンプの補正による階調を示すグラフである。
【図４】画像処理の対象となる画像のイメージを示す図である。
【図５】本発明の実施形態において、トーンジャンプ発生部を補正した際に、他の部分で色味が変化するかの考慮を計算によって行う手順を示すフローチャートである。
【図６】他の実施形態において、色味の変化を２色以上で考慮する手順を示すフローチャートである。
【図７】同じく、トーンジャンプ発生部の発見方法の例の手順を示すフローチャートである。
【図８】トーンジャンプ発生部の発見方法の他の手順を示すフローチャートである。
【図９】トーンジャンプ発生部の発見方法のさらに他の手順を示すフローチャートである。
【図１０】トーンジャンプ発生部を指定する操作画面を示す図である。
【図１１】トーンジャンプ発生部と同値のなる部分がない場合に、補正方法を最も強くする手順を示すフローチャートである。
【図１２】他の実施形態において、サンプル出力によって補正方法を決定する手順を示すフローチャートである。
【図１３】サンプル出力から補正方法を選択する操作画面を示す図である。
【図１４】トーンジャンプが発生した画像を示す図である。
【図１５】トーンジャンプを減ずる補正前後の階調を示すグラフである。
【図１６】トーンジャンプを減ずる補正前後の画像を示す図である。
【発明を実施するための形態】
【００２１】
以下に、本発明の一実施形態を添付図面に基づいて説明する。
図１は、本発明の画像処理装置を示すものであり、ネットワーク４に接続可能なプリンターコントローラー１と、プリンターコントローラー１に接続されたプリンター２、さらに操作表示部３を有している。必要な機能があれば構成は上記に限定されず、たとえば、プリンターコントローラー１はプリンター２の中に内包されていてもよい。この実施形態では、少なくともプリンターコントローラー１によって画像処理装置が構成されている。画像処理装置には、プリンターを含むものであってもよい。
【００２２】
プリンターコントローラー２は、ネットワーク４に接続するネットワークＩＦ部１０を有している。
ネットワーク４は、ＷＡＮやＬＡＮなどにより構成されるものであり、有線、無線を問わない。なお、本実施形態としては、ネットワークに接続されていないものであってもよい。
【００２３】
プリンターコントローラー１には、ＲＩＰ処理部１４を有している。ＲＩＰ処理部１４は、プリンターコントローラー１が受信したページ記述言語で記述されたＲＩＰ処理前のジョブデータに対してＲＩＰ処理を実行し、画像形成可能なビットマップ形式の画像データに変換する。
【００２４】
ＲＩＰ処理部１４には、上記ＲＩＰ処理や、出力物を所望の色に合わせるための色変換（例えばＩＣＣプロファイルを用いる）及び、入力画像データに対する白下地の追加、トナー量制限その他の処理を行い、画像データを作成する演算部１５を内包している。
演算部１５は、ＣＰＵとＣＰＵ上で動作するプログラム、プログラムを格納するＲＯＭ、作業エリアとなるＲＡＭなどによって構成されている。上記プログラムには、本発明の画像処理プログラムが含まれている。この実施形態では、演算部１５は、本発明の制御部を構成する。演算部１５はＲＩＰ処理部１４に内包されていなくてもよい。
【００２５】
さらに、プリンターコントローラー１には、プリンター２に画像データの送信と出力方法を指示するためのプリンターＩ／Ｆ部１２を有している。
画像データの送信及び出力方法の指示は、演算部１５によって行われる。
さらに、プリンターコントローラー１には、プリンター２の補正ＬＵＴや色変換に用いるＩＣＣプロファイルを記憶する記憶部１３、などを有している。
【００２６】
プリンター２は、プリンターコントローラー１の指示に基づき印刷を行なう画像形成装置である。プリンター２にはプリンターコントローラー１と通信を行なうためのコントローラーＩ／Ｆ部２０と、印刷指示に従い画像形成を行うプリント処理部２１、などにより構成される。プリント処理部２１は、画像形成を安定化させるために別途任意の補正を行ってもよい。プリント処理部２１で補正を行う場合は、少なくともプリント処理部２１は、本実施形態の画像処理装置に含まれるものとなる。
【００２７】
プリンターコントローラー２には、操作表示部３が制御可能に接続されている。
操作表示部３は、プリンター２に対する操作指令や、画像データに対する補正方法の選択や、プリンターコントローラー１に対する操作指令などを行うことができ、さらに、画面上に画像やテキストの表示などを行うことができる。操作表示部３には、さらに、操作入力を行うためのマウスやキーボードなどを備えるものとしてもよく、操作表示部３をタッチパネルで構成して操作と表示を兼用するものとしてもよい。
【００２８】
画像形成に際しては、画像形成の安定化などのために補正テーブルに沿った補正が行われる場合があり、その補正によってトーンジャンプが発生する場合がある。
図１４は、マゼンタ、ブラックの２色で構成されている画像を示している。車の中央部でマゼンタの色に関し、トーンジャンプが発生している。このため、マゼンタの１Ｄ ＬＵＴを補正したいが、補正の結果、画像の色味が変化してしまう。
【００２９】
図１５は、補正前後の１Ｄ ＬＵＴのグラフを示している。左側のグラフでは、トーンジャンプが発生していることが分かる。右側のグラフでは、トーンジャンプ周辺の色の補正を変更して、階調の変化をなめらかにしている。
しかし、上記補正の結果、変更部分と同じＣＭＹＫ値を使っているイラストが描かれている場合、例えば、トーンジャンプ部と同じ色値で星が描かれていると、図１６に示すように、トーンジャンプは補正されたものの、他の部分で色味が変化してしまうという問題が生じる。
【００３０】
そこで、本実施形態では、発生したトーンジャンプ発生部を補正する際に、画像内のトーンジャンプ発生部以外の他の部分の色味の変化を考慮して、補正方法（補正内容や補正強度）を決定することで、ユーザーが望む色再現性を確保しつつ、トーンジャンプを解消するものとする。
【００３１】
以下に、上記方法を実現する手順について図２のフローチャートに基づいて説明する。以下の手順は、制御部による制御によって実行され、制御部で実行されるプログラムには、本実施形態の画像処理プログラムが含まれる。以下のフローチャートも同様である。
【００３２】
先ず、画像を印刷し（ステップｓ１）、画像にトーンジャンプ部があるかを選択部により発見する（ステップｓ２）。
【００３３】
トーンジャンプ発生部を発見する選択部では、スキャナーを使った画像解析による発見やユーザーが直接目視で印刷結果を確認のいずれかの方法を採用することができる。
すなわち、前者では、スキャナーの結果を演算部１５で取得し、画像解析を行ってトーンジャンプ発生部を選択することができる。この形態では、演算部１５が選択部として機能する。
後者の方法では、操作表示部３において、ユーザーが画像の領域などを選択した際に、その操作内容を受けてトーンジャンプ発生部を選択することができる。操作表示部３には、画像を表示して、ユーザーの操作入力を可能にするなどして選択を可能にする。操作内容は、演算部１５に送信される、したがって、この形態では、選択部は、操作入力を行う操作表示部３によって構成されている。
【００３４】
ステップｓ２によりトーンジャンプ発生部を発見した後、トーンジャンプ発生部のＣＭＹＫ値を取得する（ステップｓ３）。ＣＭＹＫ値は、本発明における色値に相当する。なお、本発明では、色値は、ＣＭＹＫ値に限定されるものではなく、ＲＧＢ値や適宜のカラーコードなどを用いることができる。
トーンジャンプ発生部のＣＭＹＫ値の取得は、選択部で選択した画素について、ＲＩＰ画像からＣＭＹＫ値を取得することにより行うことができる。ＲＩＰ画像とは、原稿画像をラスタライズして色変換した画像をいう。
【００３５】
次いで、トーンジャンプを解消するための補正方法を計算する（ステップｓ４）。
取得されたＣＭＹＫ値が該当する補正テーブル（１次元ＬＵＴやトーンカーブ）のＬＵＴについて、スムージング処理を行う。一般的にスムージング処理とは、移動平均や加重平均が使われるが、それに類する計算なら方法は限定しない。
また、単純移動平均ではなく、加重移動平均により区間の要素に係数を掛けることで、スムージングレベルを弱・中・強と振り分けても良い。以下に、スムージングレベルを振り分けた計算式の例を示す。
・弱：（（４０＿ｏｕｔ）＋（５０＿ｏｕｔ×５）＋（６０＿ｏｕｔ））／７
・中：（（４０＿ｏｕｔ）＋（５０＿ｏｕｔ）＋（６０＿ｏｕｔ））／  ３
・強：（（４０＿ｏｕｔ）＋（５０＿ｏｕｔ×０．２５）＋（６０＿ｏｕｔ））／  ２．１２５
図３は、スムージングレベルを補正レベルによって補正した場合のイメージを示す図である。
【００３６】
次いで、画像内部で、トーンジャンプ発生部のＣＭＹＫ値と同値となる部分を検索する（ステップｓ５）。なお、同値のものは、同じ値のものの他、所定の範囲内のものを同値としてみなすものとしてもよい。
上記検索は、例えば、ＲＩＰ画像から同じＣ、Ｍ、Ｙ、Ｋ値を検索することにより行うことができる。補正カーブは１次元毎に適用されるため、それぞれ比較する必要がある。（例：Ｍ値が一致すれば、Ｃ，Ｙ，Ｋ値が不一致でも該当する）。トーンジャンプ発生部が複数ある場合は、全ての該当部分を検索結果とし、後段の計算に使用する。トーンジャンプ発生部と同じオブジェクト（トーンジャンプ発生部を除く）から抽出しても良い。例えば、下図は車の中に星の模様が入っているような場合であると、一つのオブジェクト内でもトーンジャンプを補正した結果、色味が変化してしまう場所がある。
【００３７】
次に、検索の結果、トーンジャンプ発生部のＣＭＹＫ値と同値となる部分が見つかったかを判定する（ステップｓ６）。
同値となる部分が見つからなかった場合（ステップｓ６、Ｎｏ）、ｓ４の補正方法を補正テーブルに適用して補正を行い（ステップｓ９）、再印刷を行って（ステップｓ１０）、手順を終了する。
【００３８】
同値となる部分が見つかった場合（ステップｓ６、Ｙｅｓ）、見つかった部分の色味を考慮して補正方法を決定する（ステップｓ７）。
トーンジャンプ補正をした結果、他の部分の色味へ影響がある場合、ステップ４で決定した補正内容よりも弱い補正のスムージング処理を適用する。
色味への影響度に関する判断は、ユーザーが目視で判断しても良いし、図５の手順で説明する計算処理によってシステム内で判断しても良い。
図４は、星柄の車を現したイラストにおいて、トーンジャンプ発生部のＭ値を使ってデザインされているものであり、トーンジャンプ部と同値の色値を有する部分があり、トーンジャンプ発生部の補正をすると、他の部分の色味への影響が生じやすくなる。
【００３９】
次に、ステップｓ７で決定した補正方法を補正テーブルに適用して、補正を行い（ステップｓ９）、再印刷を行って（ステップｓ１０）、手順を終了する。
【００４０】
なお、検索の結果見つかった部分の色味を考慮する際に、計算によってその結果を計算するものとしてもよい。この手順を図５のフローチャートに基づいて説明する。以下の手順は制御部の制御によって実行される。
【００４１】
画像を印刷し（ステップｓ２０）、画像にトーンジャンプ部があるかを選択部により発見する（ステップｓ２１）。
【００４２】
トーンジャンプ発生部を発見する選択部では、図２で示した手順と同様に、スキャナーを使った画像解析による発見やユーザーが直接目視で印刷結果を確認のいずれかの方法を採用することができる。
【００４３】
ステップｓ２１によりトーンジャンプ発生部を発見した後、トーンジャンプ発生部のＣＭＹＫ値を取得する（ステップｓ２２）。ＣＭＹＫ値は、本発明における色値に相当する。前記したように、本発明では、色値は、ＣＭＹＫ値に限定されるものではない。
トーンジャンプ発生部のＣＭＹＫ値の取得は、選択部で選択した画素について、ＲＩＰ画像からＣＭＹＫ値を取得することにより行うことができる。
【００４４】
次いで、トーンジャンプを解消するための補正方法を計算する（ステップｓ２３）。
補正は、前記形態と同様に、単純移動平均で行うものとしてもよく、また単純移動平均ではなく、加重移動平均により区間の要素に係数を掛けることで、スムージングレベルを弱・中・強と振り分けても良い。
【００４５】
ステップｓ２３の補正方法に基づいて、トーンジャンプ部が補正された結果を計算する（ステップｓ２４）。なお、この工程は、本発明における第１の計算工程に相当する。
さらに、画像内部で、トーンジャンプ発生部のＣＭＹＫ値と同値となる部分を検索する（ステップｓ２５）。
上記検索は、例えば、ＲＩＰ画像から同じＣ、Ｍ、Ｙ、Ｋ値を検索することにより行うことができる。
【００４６】
検索の結果、トーンジャンプ発生部のＣＭＹＫ値と同値となる部分が見つかったかを判定する（ステップｓ２６）。
同値となる部分が見つからなかった場合（ステップｓ２６、Ｎｏ）、ｓ２３で決定した補正方法を補正テーブルに適用して補正を行い（ステップｓ３０）、再印刷を行って（ステップｓ３１）、手順を終了する。
【００４７】
同値となる部分が見つかった場合（ステップｓ２６、Ｙｅｓ）、見つかった部分の色味が変化した結果を計算する（ステップｓ２７）。
すなわち、システム内の判断で、トーンジャンプの補正の結果、他の部分で色味が変化する量を計算する。
ＲＩＰ画像のＣＭＹＫ値、補正テーブルから実際印刷に使用されるＣＭＹＫ値がわかる。また、プリンタープロファイルを使用することで、ＣＭＹＫ→Ｌ＊ａ＊ｂ＊値に変更できる。Ｌ＊ａ＊ｂ＊値が算出できれば、スムージング補正前後の「色味の変化量」を計算できる。
スムージング補正の種類・強度の選択方法は、上記「色味の変化量」がしきい値以下となるようなものを内部で選択しても良いし、色味の変化量を反映させた疑似印刷結果をモニターに映し出し、ユーザーに決定させても良い。また、これらに類する方法でも良い。
なお、この工程は、本発明における第２の計算工程に相当する。
【００４８】
次いで、ステップｓ２４、ｓ２７で計算した結果に基づいて、計算方法・補正強度を決定する（ステップｓ２８）。
スムージング補正の種類・強度の選択方法は、上記「色味の変化量」がしきい値以下となるようなものを内部で選択しても良いし、色味の変化量を反映させた疑似印刷結果をモニターに映し出し、ユーザーに決定させても良い。また、これらに類する方法でも良い。
【００４９】
次に、ステップｓ２８で決定した補正方法を補正テーブルに適用して、補正を行い（ステップｓ２９）、再印刷を行って（ステップｓ３１）、手順を終了する。
【００５０】
なお、上記手順では、１次色だけで色味を考慮するものとして説明したが、２色以上の色味を考慮して補正内容を決定するようにしてもよい。この手順を図６のフローチャートに基づいて説明する。以下の手順は制御部の制御によって実行される
【００５１】
画像を印刷し（ステップｓ４０）、画像にトーンジャンプ部があるかを選択部により発見する（ステップｓ４１）。
トーンジャンプ発生部を発見する選択部では、スキャナーを使った画像解析による発見やユーザーが直接目視で印刷結果を確認のいずれかの方法を採用することができる。
【００５２】
ステップｓ４１によりトーンジャンプ発生部を発見した後、トーンジャンプ発生部のＣＭＹＫ値を取得する（ステップｓ４２）。ＣＭＹＫ値は、本発明における色値に相当する。前記したように、本発明では、色値は、ＣＭＹＫ値に限定されるものではない。
トーンジャンプ発生部のＣＭＹＫ値の取得は、選択部で選択した画素について、ＲＩＰ画像からＣＭＹＫ値を取得することにより行うことができる。
【００５３】
次いで、トーンジャンプを解消するための補正方法を計算する（ステップｓ４３）。
補正は、前記形態と同様に、単純移動平均で行うものとしてもよく、また単純移動平均ではなく、加重移動平均により区間の要素に係数を掛けることで、スムージングレベルを弱・中・強と振り分けても良い。
【００５４】
次いで、画像内部で、トーンジャンプ発生部のＣＭＹＫ値と同値となる部分を検索する（ステップｓ４４）。検索は、例えば、ＲＩＰ画像から同じＣ、Ｍ、Ｙ、Ｋ値を検索することにより行うことができる。
【００５５】
次に、検索の結果、トーンジャンプ発生部のＣＭＹＫ値と同値となる部分が見つかったかを判定する（ステップｓ４５）。
同値となる部分が見つからなかった場合（ステップｓ４５、Ｎｏ）、ｓ４３の補正方法を補正テーブルに適用して補正を行い（ステップｓ４８）、再印刷を行って（ステップｓ４９）、手順を終了する。
【００５６】
同値となる部分が見つかった場合（ステップｓ４５、Ｙｅｓ）、見つかった部分について１次色だけでなく、２次色以上の色味を考慮して、補正方法を決定する（ステップｓ４６）。
補正テーブル（１次元テーブル、トーンカーブ）は、１次色の階調カーブが（ＣＭＹＫの４色機なら）４本登録されている。複数色でトーンジャンプの影響が出ている場合は、１本のカーブによる影響を考慮するだけでなく複数色のカーブによる影響を考える必要がある。１色目を補正した後、まだトーンジャンプが残っている場合は２色目を補正、３色目を補正、４色目のように順番に補正する。
スムージング補正の種類・強度の選択方法は、上記「色味の変化量」がしきい値以下となるようなものを内部で選択しても良いし、色味の変化量を反映させた疑似印刷結果をモニターに映し出し、ユーザーに決定させても良い。また、これらに類する方法でも良い。
【００５７】
次いで、ステップｓ４６で決定した補正内容を補正テーブルに適用して補正を行い（ステップｓ４７）、再印刷を行って（ステップｓ４８）、手順を終了する。
【００５８】
次に、トーンジャンプ発生部の発見方法の例（プラテンスキャナーの使用）について、図７のフローチャートに基づいて説明する。以下の手順は制御部の制御によって実行される。
【００５９】
画像を印刷し（ステップｓ５０）、プラテンスキャナーで、ユーザーによる出力画像の設置を待つ（ステップｓ５１）。出力画像が設置されると、プラテンスキャナーでは画像の読み込みが行われる（ステップｓ５２）。
選択部では、トーンジャンプ発生を発見する。発見は、画像解析により発見する。
すなわち、プラテンスキャナーの読み取り結果を演算部１５で取得し、画像解析を行ってトーンジャンプ発生部を選択することができる。この形態では、演算部１５が選択部として機能する。
【００６０】
ステップｓ５３によりトーンジャンプ発生部を発見した後、トーンジャンプ発生部のＣＭＹＫ値を取得する（ステップｓ５４）。ＣＭＹＫ値は、本発明における色値に相当する。なお、本発明では、色値は、ＣＭＹＫ値に限定されるものではない。トーンジャンプ発生部のＣＭＹＫ値の取得は、選択部で選択した画素について、ＲＩＰ画像からＣＭＹＫ値を取得することにより行うことができる。
【００６１】
次いで、トーンジャンプを解消するための補正方法を計算する（ステップｓ５５）。
取得されたＣＭＹＫ値が該当する補正テーブルのＬＵＴについて、スムージング処理を行う。一般的にスムージング処理とは、移動平均や加重平均が使われるが、それに類する計算なら方法は限定しない。
また、単純移動平均ではなく、加重移動平均により区間の要素に係数を掛けることで、スムージングレベルを弱・中・強と振り分けても良い。
【００６２】
次いで、画像内部で、トーンジャンプ発生部のＣＭＹＫ値と同値となる部分を検索する（ステップｓ５６）。
上記検索は、例えば、ＲＩＰ画像から同じＣ、Ｍ、Ｙ、Ｋ値を検索することにより行うことができる。
検索の結果、トーンジャンプ発生部のＣＭＹＫ値と同値となる部分が見つかったかを判定する（ステップｓ５７）。
同値となる部分が見つからなかった場合（ステップｓ５７、Ｎｏ）、ｓ５５の補正方法を補正テーブルに適用して補正を行い（ステップｓ６０）、再印刷を行って（ステップｓ６１）、手順を終了する。
【００６３】
同値となる部分が見つかった場合（ステップｓ５７、Ｙｅｓ）、見つかった部分の色味を考慮して補正方法を決定する（ステップｓ５８）。
トーンジャンプ補正をした結果、他の部分の色味へ影響がある場合、ステップ５５で決定した補正内容よりも弱い補正のスムージング処理を適用する。
色味への影響度に関する判断は、ユーザーが目視で判断しても良いし、前述した計算処理によってシステム内で判断しても良い。
【００６４】
ステップｓ５８で決定した補正方法を補正テーブルに適用して、補正を行い（ステップｓ５９）、再印刷を行って（ステップｓ６１）、手順を終了する。
【００６５】
次に、トーンジャンプ発生部の発見方法の他例（インラインスキャナーの使用）について、図８のフローチャートに基づいて説明する。以下の手順は制御部の制御によって実行される。
【００６６】
画像を印刷し（ステップｓ７０）、インラインスキャナーで印刷された画像の読み込みが行われる（ステップｓ７１）。
選択部では、トーンジャンプ発生を発見する（ステップｓ７２）。発見は、画像解析による発見により行われる。
すなわち、インラインスキャナーの結果を演算部１５で取得し、画像解析を行ってトーンジャンプ発生部を選択することができる。この形態では、演算部１５が選択部として機能する。
インラインスキャナーを使って印刷結果を読み込むことで、ユーザーの手をわずらわせることなく画像を読み込んで、トーンジャンプの発見を画像解析により行うことができる。
【００６７】
ステップｓ７２によりトーンジャンプ発生部を発見した後、トーンジャンプ発生部のＣＭＹＫ値を取得する（ステップｓ７３）。ＣＭＹＫ値は、本発明における色値に相当する。なお、本発明では、色値は、ＣＭＹＫ値に限定されるものではない。トーンジャンプ発生部のＣＭＹＫ値の取得は、選択部で選択した画素について、ＲＩＰ画像からＣＭＹＫ値を取得することにより行うことができる。
【００６８】
次に、トーンジャンプを解消するための補正方法を計算する（ステップｓ７４）。
取得されたＣＭＹＫ値が該当する補正テーブルのＬＵＴについて、スムージング処理を行う。一般的にスムージング処理とは、移動平均や加重平均が使われるが、それに類する計算なら方法は限定しない。
また、単純移動平均ではなく、加重移動平均により区間の要素に係数を掛けることで、スムージングレベルを弱・中・強と振り分けても良い。
【００６９】
次に、画像内部で、トーンジャンプ発生部のＣＭＹＫ値と同値となる部分を検索する（ステップｓ７５）。
上記検索は、例えば、ＲＩＰ画像から同じＣ、Ｍ、Ｙ、Ｋ値を検索することにより行うことができる。
【００７０】
検索の結果、トーンジャンプ発生部のＣＭＹＫ値と同値となる部分が見つかったかを判定する（ステップｓ７６）。
同値となる部分が見つからなかった場合（ステップｓ７６、Ｎｏ）、ｓ７４の補正方法を補正テーブルに適用して補正を行い（ステップｓ７９）、再印刷を行って（ステップｓ８０）、手順を終了する。
【００７１】
同値となる部分が見つかった場合（ステップｓ７６、Ｙｅｓ）、見つかった部分の色味を考慮して補正方法を決定する（ステップｓ７７）。
トーンジャンプ補正をした結果、他の部分の色味へ影響がある場合、ステップ７４で決定した補正内容よりも弱い補正のスムージング処理を適用する。
色味への影響度に関する判断は、ユーザーが目視で判断しても良いし、前述した計算処理によってシステム内で判断しても良い。
【００７２】
ステップｓ７７で決定した補正方法を補正テーブルに適用して、補正を行い（ステップｓ７８）、再印刷を行って（ステップｓ８０）、手順を終了する。
【００７３】
次に、トーンジャンプ発生部の発見方法のさらに他例（ユーザーの目視）について、図９のフローチャートに基づいて説明する。以下の手順は制御部の制御によって実行される。
【００７４】
画像を印刷し（ステップｓ９０）、ユーザーが目視でトーンジャンプを発見できるように選択部が動作する（ステップｓ９１）。制御部では、ユーザーインターフェース画面（ＵＩ画面）で原稿画像のトーンジャンプ発生部の指定を受ける（ステップｓ９２）。
図１０は、操作表示部３の操作画面３０に画像３００を表示し、マウスカーソル３１０などによって、トーンジャンプ発生部を選択可能にする。
この形態では、トーンジャンプ発生部を登録するシステムがあった場合において、ユーザーが印刷結果を目視で発見し、登録するこができ、トーンジャンプの発生を画像解析により探索する必要はない。
【００７５】
ステップｓ７２によりトーンジャンプ発生部を発見した後、トーンジャンプ発生部のＣＭＹＫ値を取得する（ステップｓ９３）。ＣＭＹＫ値は、本発明における色値に相当する。なお、本発明では、色値は、ＣＭＹＫ値に限定されるものではない。トーンジャンプ発生部のＣＭＹＫ値の取得は、選択部で選択した画素について、ＲＩＰ画像からＣＭＹＫ値を取得することにより行うことができる。
【００７６】
次に、トーンジャンプを解消するための補正方法を計算する（ステップｓ９４）。
取得されたＣＭＹＫ値が該当する補正テーブルのＬＵＴについて、スムージング処理を行う。一般的にスムージング処理とは、移動平均や加重平均が使われるが、それに類する計算なら方法は限定しない。
また、単純移動平均ではなく、加重移動平均により区間の要素に係数を掛けることで、スムージングレベルを弱・中・強と振り分けても良い。
【００７７】
次に、画像内部で、トーンジャンプ発生部のＣＭＹＫ値と同値となる部分を検索する（ステップｓ９５）。
上記検索は、例えば、ＲＩＰ画像から同じＣ、Ｍ、Ｙ、Ｋ値を検索することにより行うことができる。
【００７８】
検索の結果、トーンジャンプ発生部のＣＭＹＫ値と同値となる部分が見つかったかを判定する（ステップｓ９６）。
同値となる部分が見つからなかった場合（ステップｓ９６、Ｎｏ）、ｓ９４の補正方法を補正テーブルに適用して補正を行い（ステップｓ９９）、再印刷を行って（ステップｓ１００）、手順を終了する。
【００７９】
同値となる部分が見つかった場合（ステップｓ９６、Ｙｅｓ）、見つかった部分の色味を考慮して補正方法を決定する（ステップｓ９７）。
トーンジャンプ補正をした結果、他の部分の色味へ影響がある場合、ステップ９４で決定した補正内容よりも弱い補正のスムージング処理を適用する。
色味への影響度に関する判断は、ユーザーが目視で判断しても良いし、前述した計算処理によってシステム内で判断しても良い。
【００８０】
次に、ステップｓ９７で決定した補正方法を補正テーブルに適用して、補正を行い（ステップｓ９８）、再印刷を行って（ステップｓ１００）、手順を終了する。
【００８１】
次に、トーンジャンプ発生部で最も強い補正内容を選択する例について、図１１のフローチャートに基づいて説明する。以下の手順は制御部の制御によって実行される。
【００８２】
画像を印刷し（ステップｓ２００）、画像にトーンジャンプ部があるかを選択部により発見する（ステップｓ２０１）。
トーンジャンプ発生部を発見する選択部では、スキャナーを使った画像解析による発見やユーザーが直接目視で印刷結果を確認のいずれかの方法を採用することができる。
【００８３】
ステップｓ２０１によりトーンジャンプ発生部を発見した後、トーンジャンプ発生部のＣＭＹＫ値を取得する（ステップｓ２０２）。ＣＭＹＫ値は、本発明における色値に相当する。なお、本発明では、色値は、ＣＭＹＫ値に限定されるものではなく、ＲＧＢ値や適宜のカラーコードなどを用いることができる。
トーンジャンプ発生部のＣＭＹＫ値の取得は、選択部で選択した画素について、ＲＩＰ画像からＣＭＹＫ値を取得することにより行うことができる。
【００８４】
次いで、トーンジャンプを解消するための補正方法を計算する（ステップｓ２０３）。
取得されたＣＭＹＫ値が該当する補正テーブル（１次元ＬＵＴやトーンカーブ）のＬＵＴについて、スムージング処理を行う。一般的にスムージング処理とは、移動平均や加重平均が使われるが、それに類する計算なら方法は限定しない。
また、単純移動平均ではなく、加重移動平均により区間の要素に係数を掛けることで、スムージングレベルを弱・中・強と振り分けても良い。
【００８５】
次に、画像内部で、トーンジャンプ発生部のＣＭＹＫ値と同値となる部分を検索する（ステップｓ２０４）。
上記検索は、例えば、ＲＩＰ画像から同じＣ、Ｍ、Ｙ、Ｋ値を検索することにより行うことができる。
【００８６】
次に、検索の結果、トーンジャンプ発生部のＣＭＹＫ値と同値となる部分が見つかったかを判定する（ステップｓ２０５）。
同値となる部分が見つからなかった場合（ステップｓ２０５、Ｎｏ）、ステップｓ２０３の候補のうち、補正の種類／補正強度が最も強い補正方法を選択し、補正テーブルに適用して補正を行う（ステップｓ２０８）。次いで、再印刷を行って（ステップｓ２０９）、手順を終了する。
画像内の他の色味への影響がないため、トーンジャンプを抑制するために、最も強いスムージング補正を掛ける。
【００８７】
同値となる部分が見つかった場合（ステップｓ２０５、Ｙｅｓ）、見つかった部分の色味を考慮して補正方法を決定する（ステップｓ２０６）。
トーンジャンプ補正をした結果、他の部分の色味へ影響がある場合、ステップｓ２０３の候補の補正内容のうちで弱い補正のスムージング処理を適用する。
色味への影響度に関する判断は、ユーザーが目視で判断しても良いし、計算処理によってシステム内で判断しても良い。
次に、ステップｓ２０６で決定した補正方法を補正テーブルに適用して、補正を行い（ステップｓ２０７）、再印刷を行って（ステップｓ２０９）、手順を終了する。
【００８８】
次に、ユーザーが出力されたサンプルを目視で確認して補正方法を決定する手順について図１２のフローチャートに基づいて説明する。
画像を印刷し（ステップｓ３００）、画像にトーンジャンプ部があるかを選択部により発見する（ステップｓ３０１）。
【００８９】
トーンジャンプ発生部を発見する選択部では、図２で示した手順と同様に、スキャナーを使った画像解析による発見やユーザーが直接目視で印刷結果を確認のいずれかの方法を採用することができる。
【００９０】
ステップｓ３０１によりトーンジャンプ発生部を発見した後、トーンジャンプ発生部のＣＭＹＫ値を取得する（ステップｓ３０２）。ＣＭＹＫ値は、本発明における色値に相当する。前記したように、本発明では、色値は、ＣＭＹＫ値に限定されるものではない。
トーンジャンプ発生部のＣＭＹＫ値の取得は、選択部で選択した画素について、ＲＩＰ画像からＣＭＹＫ値を取得することにより行うことができる。
【００９１】
次いで、トーンジャンプを解消するための補正方法を計算する（ステップｓ３０３）。
補正は、前記形態と同様に、単純移動平均で行うものとしてもよく、また単純移動平均ではなく、加重移動平均により区間の要素に係数を掛けることで、スムージングレベルを弱・中・強と振り分けても良い。
【００９２】
次いで、ステップｓ２３で計算された計算結果に基づいて、トーンジャンプ部が補正された結果を計算する（ステップｓ３０４）。
さらに、画像内部で、トーンジャンプ発生部のＣＭＹＫ値と同値となる部分を検索する（ステップｓ３０６）。該検索は、例えば、ＲＩＰ画像から同じＣ、Ｍ、Ｙ、Ｋ値を検索することにより行うことができる。
【００９３】
次に、検索の結果、トーンジャンプ発生部のＣＭＹＫ値と同値となる部分が見つかったかを判定する（ステップｓ３０６）。
同値となる部分が見つからなかった場合（ステップｓ３０６、Ｎｏ）、ｓ３０３の補正方法を補正テーブルに適用して補正を行い（ステップｓ３１３）、再印刷を行って（ステップｓ３１４）、手順を終了する。
【００９４】
同値となる部分が見つかった場合（ステップｓ３０７、Ｙｅｓ）、ステップｓ３０４の補正方法により同値の部分の色味が変化した結果を計算する（ステップｓ３０７）。
システム内の判断では、ＲＩＰ画像のＣＭＹＫ値、補正テーブルから実際印刷に使用されるＣＭＹＫ値などからわかる。また、プリンタープロファイルを使用することで、ＣＭＹＫ→Ｌ＊ａ＊ｂ＊値に変更できる。Ｌ＊ａ＊ｂ＊値が算出できれば、スムージング補正前後の「色味の変化量」を計算できる。
スムージング補正の種類・強度の選択方法は、上記「色味の変化量」がしきい値以下となるようなものを内部で選択しても良いし、色味の変化量を反映させた疑似印刷結果をモニターに映し出し、ユーザーに決定させても良い。また、これらに類する方法でも良い。
【００９５】
次いで、ステップｓ３０４、ｓ３０７で計算した結果に基づいて、複数の計算方法・補正強度を抽出する（ステップｓ３０８）。
複数の補正方法毎に、補正した結果に基づいてサンプルを出力し（ステップｓ３０９）、ユーザーが出力したサンプルを目視で確認できるように排紙する（ステップｓ３１０）。
出力されたサンプルのうち、最適な補正方法をユーザーが決定し、ＵＩ画面で入力を受け付ける（ステップｓ３１１）。
図１３は、選択する補正方法を操作可能に表示した操作画面３１を示している。
操作画面３１では、複数の補正内容、補正強度が、補正方法リスト３１０で表示され、個別に選択可能になっている。なお、この操作画面に対する指定は、サンプル出力以外においても用いることができる。
次いで、画面に入力された（決定された）補正方法を使って、補正テーブルを補正し、補正を実行する（ステップｓ３１２）。次いで、再印刷を行い（ステップｓ３１４）、手順を終了する。
【００９６】
この形態では、複数ある補正方法・強度において、それぞれを適用させ印刷することで、ユーザーが印刷結果に基づいて、トーンジャンプ補正方法を決定できる。
【００９７】
以上、本発明について上記実施形態に基づいて説明を行ったが、本発明は、上記実施形態の内容に限定されるものではなく、本発明の範囲を逸脱しない限りは適宜の変更が可能である。
【符号の説明】
【００９８】
１  プリンターコントローラー
２  プリンター
３  操作表示部
４  ネットワーク
１３  記憶部
１４  ＲＩＰ処理部
１５  演算部
３０  操作画面
３１  操作画面
３００  画像
３０１  マウスカーソル
３１０  補正方法リスト
【図１】
2020068409.tif 000003
【図２】
2020068409.tif 000004
【図３】
2020068409.tif 000005
【図４】
2020068409.tif 000006
【図５】
2020068409.tif 000007
【図６】
2020068409.tif 000008
【図７】
2020068409.tif 000009
【図８】
2020068409.tif 000010
【図９】
2020068409.tif 000011
【図１０】
2020068409.tif 000012
【図１１】
2020068409.tif 000013
【図１２】
2020068409.tif 000014
【図１３】
2020068409.tif 000015
【図１４】
2020068409.tif 000016
【図１５】
2020068409.tif 000017
【図１６】
2020068409.tif 000018